(57)【要約】【課題】本発明は、外部装置からの外部コネクタを、コンピュータが備える外部接続コネクタに随意に挿入されることを防止することを目的とする。【解決手段】装置外部からの外部コネクタが挿抜できる１以上の外部接続コネクタ２a 〜２d を備えるコンピュータ１において、外部接続コネクタ２a 〜２d それぞれに対応して、外部接続コネクタ２a 〜２d への外部コネクタの挿入を物理的に阻止およびその阻止を解除できる施錠手段３a 〜３d を備える。施錠手段３a 〜３d は、前記挿入を阻止しない第１の停止位置から前記挿入を阻止する第２の停止位置までの間を移動するとともに、前記挿入を物理的に阻止する挿入阻止手段４a 〜４d と、鍵穴５a 〜５d と、鍵穴５a 〜５d に適合する物理的な鍵６a 〜６d と、挿入阻止手段４a 〜４d と連結されて鍵穴５a 〜５d に挿入された鍵６a 〜６d の回転操作に連動して挿入阻止手段４a 〜４d を前記の各停止位置に移動させる連動手段とを備える。【選択図】図１
2005092300.tif 000002
【特許請求の範囲】
【請求項１】
装置外部からの外部コネクタが挿抜できる１以上の外部接続コネクタを備えるコンピュータであって、
該コンピュータは、
前記外部接続コネクタそれぞれに対応して、前記外部接続コネクタへの前記外部コネクタの挿入を物理的に阻止およびその阻止を解除できる施錠手段を備えることを特徴とする施錠機構付きコンピュータ。
【請求項２】
請求項１記載のコンピュータであって、
前記施錠手段は、
前記外部接続コネクタへの前記外部コネクタの挿入を阻止しない第１の停止位置から、前記挿入を阻止する第２の停止位置までの間を移動するとともに、前記第２の停止位置にて前記外部コネクタの挿入を物理的に阻止する挿入阻止手段と、
外部からの物理的な鍵が挿抜できる所定の穴形状の鍵穴と、
該鍵穴に適合する所定の鍵形状の物理的な鍵と、
前記挿入阻止手段と連結され、前記鍵穴に挿入された前記鍵の操作に連動して前記挿入阻止手段を前記第１の停止位置と前記第２の停止位置とに移動させる連動手段とを備える、
ことを特徴とする施錠機構付きコンピュータ。
【請求項３】
請求項１記載のコンピュータであって、
前記施錠手段は、
外部からの物理的な鍵が挿抜できる所定の穴形状の鍵穴と、
該鍵穴に適合する所定の鍵形状の物理的な鍵と、
前記鍵穴に挿入された前記鍵の操作に連動して前記外部接続コネクタへの前記外部コネクタの挿入を阻止しない第１の停止位置から、前記挿入を阻止する第２の停止位置までの間を移動するとともに、前記第２の停止位置にて前記外部コネクタの挿入を物理的に阻止する挿入阻止連動手段とを備える、
ことを特徴とする施錠機構付きコンピュータ。
【請求項４】
請求項２または請求項３記載のコンピュータであって、
前記施錠手段ごとの前記鍵穴の穴形状と前記鍵の鍵形状とが、前記施錠手段それぞれにおいて全て同一形状または全て異なる形状、あるいは同一形状と異なる形状との混在であることを特徴とする施錠機構付きコンピュータ。
【請求項５】
請求項２または請求項３記載のコンピュータであって、
前記鍵穴は、２以上の任意の前記鍵穴を統合させた１以上を有する統合鍵穴とし、
前記連動手段は、前記統合鍵穴に挿入された前記鍵の回転操作に連動して、前記統合鍵穴に対応する前記挿入阻止手段それぞれを前記第１の停止位置と前記第２の停止位置とに移動させる連結連動手段とする、
ことを特徴とする施錠機構付きコンピュータ。
【発明の詳細な説明】
【技術分野】
【０００１】
本発明はコンピュータに関し、特に外部装置からの外部コネクタを、コンピュータが備える外部接続コネクタに随意に挿入されることを防止するコンピュータに関するものである。
【背景技術】
【０００２】
近年普及しているパーソナルコンピュータ（以下、パソコンと称す）やサーバなどのコンピュータは、例えば侵入者や部外者などによってそれらコンピュータが使用されて、それらコンピュータ内に格納されているデータ、あるいはイントラネットで接続されている他のコンピュータやデータ格納装置などに格納されているデータが盗まれないように、コンピュータそれぞれにソフトウェアによるセキュリティ保護を行なっている。
【０００３】
ソフトウェアによるセキュリティ保護としては、例えば Microsoft社製の Microsoft（登録商標） Windows（登録商標）2000のソフトウェアによるものがあり、パソコンを電源投入してログオンするためには、ユーザ名とそれに対応付けられたパスワードの入力を必要とし、更にログオン後においては、ディスプレイ画面の焼き付き防止機能であるスクリーンセーバの作動状態（例えば、画面の全面黒色表示）から使用可能状態の画面に復旧させるために所定のパスワードの入力を必要とするなどして、セキュリティ保護を行なっている。
【０００４】
また、パソコンに標準搭載または外部接続されているフレキシブルディスクやＣＤ−ＲＯＭ（コンパクトディスク−ＲＯＭ）、ＭＯディスク（光磁気ディスク）などの外部記録媒体のためのドライブユニットへのアクセス禁止などを可能とさせるソフトウェアを利用して、セキュリティ保護するものもある（例えば、非特許文献１参照）。
【０００５】
前記２つのソフトウェアを併用して運用すれば、個々に利用する場合に比べてセキュリティ保護がより強化されることになる。
【非特許文献１】2001年度ニュースリリース「Windows のキー操作を制御するソフト「InfoBarrier 」をバージョンアップ」、[online]、平成13年５月８日、株式会社エフ・エフ・シー、〔平成15年７月28日〕、インターネット＜URL: http://www.ffc.co.jp/news/2001/pl010508.html ＞
【発明の開示】
【発明が解決しようとする課題】
【０００６】
しかしながら、上述した従来の方法では、例え前記２つのソフトウェアを併用してセキュリティ保護の運用を行なったとしても、コンピュータ使用者が使用中のコンピュータから一時的に離れたその隙間、しかもスクリーンセーバが作動する前に侵入者や部外者などがそのコンピュータを使用し、アクセス禁止が設定されていない未接続のドライブユニット、即ち未使用の外部接続コネクタに接続できる前記外部記録媒体などのドライブユニットのケーブルコネクタ（外部コネクタ）を前記未使用の外部接続コネクタに挿入して、何らかのソフトウェア手段などを講じてそのドライブユニットをアクセス可能にすることで、外部記録媒体にデータが書き込まれてデータを盗まれてしまうという問題がある。
【０００７】
そこで本発明は、前記の問題を解決するために、コンピュータが備える外部接続コネクタへの外部コネクタの挿入を物理的に阻止できる施錠機構付きのコンピュータを提供することを目的とする。
【課題を解決するための手段】
【０００８】
図１は、本発明に係るコンピュータの施錠機構部分の外観図である。以下、図１を参照しながら説明する。なお、図１は、説明の都合上、コンピュータが備える任意の数の各種外部接続コネクタを一箇所に集合させて模式化した図である。
【０００９】
第１の発明のコンピュータ１は、コンピュータ１の装置外部からの外部コネクタが挿抜できる１以上の外部接続コネクタ２a,２b,２c,２d を備えるコンピュータ１であって、コンピュータ１は、外部接続コネクタ２a,２b,２c,２d それぞれに対応して、外部接続コネクタ２a,２b,２c,２d への前記外部コネクタの挿入を物理的に阻止およびその阻止を解除できる施錠手段３a,３b,３c,３d を備えることを特徴とする。
【００１０】
前記第１の発明によれば、外部接続コネクタそれぞれに施錠手段を備えていることから、外部接続コネクタそれぞれへの外部コネクタの挿入を物理的に阻止できる。
【００１１】
第２の発明のコンピュータ１は、前記第１の発明のコンピュータ１であって、施錠手段３a,３b,３c,３d は、外部接続コネクタ２a,２b,２c,２d への前記外部コネクタの挿入を阻止しない第１の停止位置から、前記挿入を阻止する第２の停止位置までの間を移動するとともに、前記第２の停止位置にて前記外部コネクタの挿入を物理的に阻止する挿入阻止手段４a,４b,４c,４d と、外部からの物理的な鍵が挿抜できる所定の穴形状の鍵穴５a,５b,５c,５d と、鍵穴５a,５b,５c,５d に適合する所定の鍵形状の物理的な鍵６a,６b,６c,６d と、挿入阻止手段４a,４b,４c,４d と連結され、鍵穴５a,５b,５c,５d に挿入された鍵６a,６b,６c,６d の操作に連動して挿入阻止手段４a,４b,４c,４d を前記第１の停止位置と前記第２の停止位置とに移動させる連動手段とを備えることを特徴とする。
【００１２】
前記第２の発明によれば、施錠手段それぞれに物理的な鍵を備えたことから、その鍵による簡単な操作によって、外部接続コネクタそれぞれへの外部コネクタの挿入を選択的且つ物理的に阻止できる。
【００１３】
第３の発明のコンピュータ１は、前記第１の発明のコンピュータ１であって、施錠手段３a,３b,３c,３d は、外部からの物理的な鍵が挿抜できる所定の穴形状の鍵穴５a,５b,５c,５d と、鍵穴５a,５b,５c,５d に適合する所定の鍵形状の物理的な鍵６a,６b,６c,６d と、鍵穴５a,５b,５c,５d に挿入された鍵６a,６b,６c,６d の操作に連動して外部接続コネクタ２a,２b,２c,２d への前記外部コネクタの挿入を阻止しない第１の停止位置から、前記挿入を阻止する第２の停止位置までの間を移動するとともに、前記第２の停止位置にて前記外部コネクタの挿入を物理的に阻止する挿入阻止連動手段とを備えることを特徴とする。
【００１４】
前記第３の発明によれば、前記第２の発明による連動手段と挿入阻止手段とを一体化構造にしたことから、構成部品数が削減され、コスト低減が可能となる。
【００１５】
第４の発明のコンピュータ１は、前記第２の発明または前記第３の発明のコンピュータ１であって、施錠手段３a,３b,３c,３d ごとの鍵穴５a,５b,５c,５d の穴形状と鍵６a,６b,６c,６d の鍵形状とが、施錠手段３a,３b,３c,３d それぞれにおいて全て同一形状または全て異なる形状、あるいは同一形状と異なる形状との混在であることを特徴とする。
【００１６】
前記第４の発明によれば、施錠手段それぞれの鍵を、施錠手段の全てが同一な１種類の鍵（共通鍵）や、全てが異なる鍵（非共通鍵）や、一部が共通鍵でその他は非共通鍵の混在とする鍵（混在鍵）にできることから、例えば外部接続コネクタをグループ分けなどすることによって鍵を任意に種別化ができる。
【００１７】
第５の発明のコンピュータ１は、前記第２の発明または前記第３の発明のコンピュータ１であって、鍵穴５a,５b,５c,５d は、２以上の任意の鍵穴５a,５b,５c,５d を統合させた１以上を有する統合鍵穴とし、前記連動手段は、前記統合鍵穴に挿入された前記鍵の回転操作に連動して、前記統合鍵穴に対応する挿入阻止手段４a,４b,４c,４d それぞれを、前記第１の停止位置と前記第２の停止位置とに移動させる連結連動手段とすることを特徴とする。
【００１８】
前記第５の発明によれば、統合鍵穴に挿入された１つの鍵の操作によって、同時に２つ以上の外部接続コネクタへの外部コネクタの挿入の阻止操作が可能になる。
【発明の効果】
【００１９】
本発明によれば、物理的な鍵によって外部接続コネクタそれぞれへの外部コネクタの挿入を選択的且つ物理的に阻止できることから、外部コネクタ挿入を阻止させるための操作が簡単に行なえるとともに、外部コネクタ挿入を確実に阻止できる。したがって、鍵を管理する者以外、例えば侵入者や部外者などによる外部接続コネクタへの外部コネクタの挿入が不可能になることから、外部記録媒体のためのドライブユニットなどが接続されることが回避でき、コンピュータ内やイントラネット接続されたデータ格納装置内などのデータの盗難が防止できる。
【００２０】
また、鍵穴それぞれの一部または全てを同一の鍵穴とすることで、それら鍵穴に対しては共通な１つの鍵によって施錠および解錠できることから、外部コネクタ挿入を阻止させるための操作が簡単になるとともに、鍵の総数が減ることで鍵保管が容易になり、鍵を管理する者の作業負担の軽減が可能となる。
【００２１】
また、鍵穴の一部または全てを統合鍵穴とすることで、統合鍵によって複数を同時に施錠および解錠できることから、外部コネクタ挿入を阻止させるための操作が更に簡単になるとともに、鍵の総数が減ることで鍵保管が容易になり、鍵を管理する者の作業負担の軽減が可能となる。
【発明を実施するための最良の形態】
【００２２】
コンピュータが備える外部接続コネクタへの外部コネクタの挿入を物理的に阻止するという目的を、施錠および解錠の操作が簡単な物理的な鍵を用いることで実現した。
【実施例１】
【００２３】
以下、本発明の実施の形態について、図面を参照して説明する。図２は、本発明を実施した実施例１の施錠機構の構成を示す図であり、図３は、外部接続コネクタと外部コネクタとの嵌合部の詳細を示す断面図である。ここでは説明の都合上、コンピュータが備える施錠機構を２つとしているが、その数に制限を加えるものではない。
【００２４】
図２において、パソコンやサーバなどのコンピュータ１１は、コンピュータ１１外の外部装置（外部カードなどを含む）との接続のために備えるイーサネットやＵＳＢ（Universal Serial Bus）、ＰＣカード（PCMCIA: Personal Computer Memory Card International Issociation カード）などのための外部接続コネクタ２１a,２１b のそれぞれに対応させて、施錠機構３１a,３１b を備える。
【００２５】
施錠機構３１a,３１b それぞれは、抜き差し可能な物理的な鍵６１a,６１b と、その鍵６１a,６１b が挿入される鍵穴５１a,５１b とを備え、その鍵穴５１a,５１b のそれぞれは、鍵６１a,６１b の鍵形状６１１a,６１１b が適合する所定の穴形状に加え、図示していない錠機構（鍵穴に適合した鍵形状の鍵の鍵操作により施錠と解錠を可能にさせる錠部分の機構）を備えている。
【００２６】
鍵穴５１a,５１b とそれに適合する鍵６１a,６１b との組合せとしての鍵構成を、施錠機構３１a,３１b の全てが同一な１種類だけの鍵構成（以下、共通鍵と称す）や、全てが異なる鍵構成（以下、非共通鍵と称す）、あるいは一部が同一でその他は異なる混在型の鍵構成（以下、混在鍵と称す）などとすることができるが、ここでは説明の都合上、異なる鍵構成を有する非共通鍵または混在鍵の場合として説明する。
【００２７】
鍵穴５１a,５１b に挿入された鍵６１a,６１b のそれぞれの回転操作に連動して可動する連動機構７１a,７１b によって、連動機構７１a,７１b の他端に移動自在に連結された挿入阻止金具４１a,４１b がそれぞれ独立して可動させられる。この場合の挿入阻止金具４１a,４１b は、外部接続コネクタ２１a,２１b への外部コネクタの挿入を阻害しない第１の停止位置４１a-1,４１b-1 、つまり解錠位置と、前記挿入を阻止する第２の停止位置４１a-2,４１b-2 、つまり施錠位置との間を移動する。
【００２８】
例えば、挿入阻止金具４１a,４１b は、鍵６１a,６１b の所定の挿入位置から左回転方向への所定角度までの回転操作で第１の停止位置４１a-1,４１b-1 となり、一方、右回転方向への所定角度までの回転操作で第２の停止位置４１a-2,４１b-2 となるようにする。即ち、右回転操作で、外部コネクタの挿入を阻止するロック状態となる。
【００２９】
連動機構７１a,７１b については具体的な機構構成を記述していないが、前記した連動機構７１a,７１b の機能が果たせる所定の機構構成であれば構わない。なお、ここでは連動機構７１a,７１b と挿入阻止金具４１a,４１b とを構造的に独立させて、それら２つを前記のように連結させた構造としているが、連動機構７１a,７１b に挿入阻止金具４１a,４１b を構造的に一体化させた挿入阻止連動機構として、連動機構７１a,７１b 自身、例えばその一部が挿入阻止金具４１a,４１b の機能をも兼ね備えるような構造とすることも可能である。
【００３０】
また、前記の挿入阻止金具４１a,４１b については、その形状は、図示したような矩形である必要はなく、例えば楕円形、弧状、棒状など、つまり外部コネクタの挿入を確実に阻止できるものならばどのような形状であっても構わない。更に挿入阻止金具４１a,４１b は、外部接続コネクタ２１a,２１b の全面あるいはその一部を覆って外部コネクタの挿入を阻止するもの、あるいは外部コネクタの挿入操作時に外部コネクタの一部分の挿入を阻止することによって外部コネクタ全体の挿入を阻止するものであっても良い。後者の場合、一部分の挿入を阻止する挿入阻止金具４１a,４１b は、その阻止位置が外部接続コネクタ２１a,２１b から見ていずれの位置であっても良く、しかも挿入阻止金具４１a,４１b は１つに限らず複数により構成しても構わない。複数で構成した場合、それぞれの阻止位置については前記同様、いずれの位置であっても構わない。
【００３１】
図３において、それらの一例を説明する。図（ａ）は外部接続コネクタの物理的形態が凹型の場合であって、外部接続コネクタ２５a の上面部分（挿入面側）の全面に挿入阻止金具４５a を移動させて、物理的形態が凸型である外部コネクタ９５a の挿入を阻止させている状態を表している。なお、同図では、挿入阻止金具４５a は、外部コネクタ９５a の一方の端面から相対する他方の端面まで十分に架かっているものであるが、外部コネクタ９５a の挿入が確実に阻止できるならば、その途中までの位置であっても構わない。
【００３２】
また、図（ｂ）は外部接続コネクタの物理的形態が凸型の場合であって、外部接続コネクタ２５b の側面部分に２つから成る挿入阻止金具４５b-a,４５b-b を移動させて、物理的形態が凹型である外部コネクタ９５b の挿入を阻止させている状態を表している。同図では、挿入阻止金具４５b-a,４５b-b は２つで構成されているが、外部コネクタ９５b の挿入が確実に阻止できるならば、いずれか一方だけでも構わない。
【００３３】
なお、挿入阻止金具４５b-a,４５b-b を外部接続コネクタ２５b の側面部分に位置するように構成しているが、外部接続コネクタ２５b の上面部分（挿入面上部）に位置するように、しかも外部接続コネクタ２５b の全面を覆うように構成しても構わない。
【００３４】
以上のような構成によって、鍵操作により外部接続コネクタそれぞれへの外部コネクタの挿入を選択的且つ物理的に阻止できることから、鍵を管理する者（コンピュータ管理者やシステム管理者など）以外、例えば侵入者や部外者などによる外部接続コネクタへの外部コネクタ挿入が不可能になることで、外部記録媒体のためのドライブユニットなどが随意に接続されることが回避でき、コンピュータ内やイントラネット接続されたデータ格納装置内などのデータの盗難が防止できる。
【００３５】
また、施錠機構それぞれの前記鍵構成を、施錠機構全てを共通な共通鍵や、全てを異なる非共通鍵、あるいは一部が共通鍵でその他は非共通鍵とする混在鍵にできることから、例えば、外部接続コネクタのコネクタ種別や用途別、使用目的別、管理目的別などに応じて共通鍵や非共通鍵、混在鍵などとする鍵構成を備えるコンピュータとすることにより、施錠・解錠操作や鍵保管などに伴う作業負担を軽減することができる。
【００３６】
つまり、共通鍵とした部分については１つの鍵だけにより施錠・解錠操作ができることから、多数ある鍵の中から目指す鍵を探し出す手間が軽減できる。更に、鍵の総数が減ることから、鍵の保管スペースが低減できるとともに、鍵保管に伴う手間を軽減することができる。
【実施例２】
【００３７】
図４は、本発明を実施した実施例２の施錠機構の構成を示す図である。ここでは説明の都合上、コンピュータが備える施錠機構を２つとしているが、その数に制限を加えるものではない。
【００３８】
図４において、パソコンやサーバなどのコンピュータ１２は、前述した外部装置との接続のために備えるイーサネットやＵＳＢ、ＰＣカードなどのための外部接続コネクタ２２a,２２b のそれぞれに対応させて、施錠機構３２a,３２b を備える。施錠機構３２a,３２b には、前述した実施例１のように施錠機構３１a,３１b それぞれに対応させた同数の鍵穴５１a,５１b を備えることをせずに、任意に組み合わせた２つ以上の施錠機構３２a,３２b の代表となる鍵穴、つまり統合された統合鍵穴５２a を備えるものである。
【００３９】
更に、統合鍵穴５２a に適合する所定の鍵形状６２１a を有する抜き差し可能な物理的な統合鍵６２a を備え、統合鍵穴５２a は、統合鍵６２a の鍵形状６２１a が適合する所定の穴形状に加え、図示していない前述した錠機構を含むものである。２つ以上の施錠機構を備えるコンピュータ１２は、統合鍵穴の数は１つだけ或いは複数であっても良く、設計上や管理上などの都合に合わせて決めれば良い。ここでは説明の都合上、統合鍵穴５２a は１つとして図示している。
【００４０】
統合鍵穴５２a に挿入された統合鍵６２a の回転操作に連動して可動する連結連動機構８０a によって、連結連動機構８０a の他端に移動自在に連結された挿入阻止金具４２a,４２b がそれぞれ同時に可動させられる。この場合の挿入阻止金具４２a,４２b は、外部接続コネクタ２２a,２２b への外部コネクタの挿入を阻害しない第１の停止位置４２a-1,４２b-1 、つまり解錠位置と、前記挿入を阻止する第２の停止位置４２a-2,４２b-2 、つまり施錠位置との間を移動する。
【００４１】
例えば、挿入阻止金具４２a,４２b は、統合鍵６２a の所定の挿入位置から左回転方向への所定角度までの回転操作で第１の停止位置４２a-1,４２b-1 となり、一方、右回転方向への所定角度までの回転操作で第２の停止位置４２a-2,４２b-2 となるようにする。即ち、右回転操作で、外部コネクタの挿入を阻止するロック状態となる。
【００４２】
連結連動機構８０a については具体的な機構構成は記述していないが、前記した連結連動機構８０a の機能が果たせる所定の機構構成であれば構わない。挿入阻止金具４２a,４２b の形状や阻止位置、構成数などの説明については、説明の都合上で付している符号の差を除き、前述した実施例１での挿入阻止金具４１a,４１b の説明に同じであるため、ここでは説明を省略するものとする。
【００４３】
以上のような構成によって、鍵操作により外部接続コネクタそれぞれへの外部コネクタの挿入を選択的且つ物理的に阻止できることから、前記実施例１の効果に記述したと同様なデータ盗難防止の効果が得られる。更に、統合鍵穴の構成とした施錠機構においては、統合鍵の鍵操作によって同時に２つ以上の外部接続コネクタへの外部コネクタの挿入阻止操作が可能なことから、外部接続コネクタのコネクタ種別や用途別、使用目的別、管理目的別などでグループ化させて統合鍵穴の構成を備えるコンピュータとすることにより、施錠・解錠操作や鍵保管などに伴う作業負担を軽減することができる。
【００４４】
つまり、統合鍵穴の構成とすることによって鍵穴の総数を施錠機構の総数以下にできることから、鍵穴ごとの鍵操作の回数が低減できることで、鍵操作に要する作業負担を軽減させることができる。また、鍵の総数が減ることから鍵の保管スペースが低減できるとともに、鍵保管に伴う手間を軽減することができる。なお、統合鍵穴が１つだけの場合が、鍵に関わる前記作業負担が最も少なくなることは言うまでもない。
【図面の簡単な説明】
【００４５】
【図１】本発明に係るコンピュータの施錠機構部分の外観図
【図２】本発明を実施した実施例１の施錠機構の構成を示す図
【図３】外部接続コネクタと外部コネクタとの嵌合部の詳細を示す断面図
【図４】本発明を実施した実施例２の施錠機構の構成を示す図
【符号の説明】
【００４６】
１    コンピュータ
２a,２b,２c,２d   外部接続コネクタ
３a,３b,３c,３d   施錠手段
４a,４b,４c,４d   挿入阻止手段
５a,５b,５c,５d   鍵穴
６a,６b,６c,６d   鍵
１１，１２  コンピュータ
２１a,２１b,２２a,２２b   外部接続コネクタ
３１a,３１b,３２a,３２b   施錠機構
４１a,４１b,４２a,４２b   挿入阻止金具
４１a-1,４１b-1,４２a-1,４２b-1   第１の停止位置
４１a-2,４１b-2,４２a-2,４２b-2   第２の停止位置
５１a,５１b   鍵穴
５２a   統合鍵穴
６１a,６１b   鍵
６２a   統合鍵
７１a,７１b   連動機構
８０a   連結連動機構
９５a,９５b   外部コネクタ
【図１】
2005092300.tif 000003
【図２】
2005092300.tif 000004
【図３】
2005092300.tif 000005
【図４】
2005092300.tif 000006